【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】  患者の診療に係る診療内容を電子的に記録する電子カルテを作成する電子カルテ作成手段と、前記電子カルテ作成手段において作成された電子カルテ及びこれに記載される定義内容を格納する電子カルテ格納手段と、前記電子カルテ作成手段において作成された電子カルテに定義内容の入力を行う電子カルテ入力手段とから成る電子カルテシステムであって、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有することを特徴とする電子カルテシステム。
【請求項２】  患者の診療に係る診療内容を電子的に記録する電子カルテを作成する電子カルテ作成手段と、前記電子カルテ作成手段において作成された電子カルテ及びこれに記載される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有し、前記制御手段は、さらに、診察待ち患者の情報を所定の条件に従って順番に並び替え、これを表示することを特徴とする電子カルテシステム。
【請求項３】  患者の診療に係る診療内容を電子的に記録する電子カルテを作成する電子カルテ作成手段と、前記電子カルテ作成手段において作成された電子カルテ及びこれに記載される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有し、前記制御手段は、前記電子カルテに入力される定義内容を複数の分類に分類し、さらに、これら分類された内容を識別して、これを表示することを特徴とする電子カルテシステム。
【請求項４】  患者の診療に係る診療内容を電子的に記録する電子カルテを作成する電子カルテ作成手段と、前記電子カルテ作成手段において作成された電子カルテ及びこれに入力される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段と、文字認識手段とを有し、前記制御手段は、前記文字認識手段との関連付けによって前記定義内容の検索を行うことを特徴とする電子カルテシステム。
【請求項５】  前記文字認識手段は、液晶ペンタブレット等の文字入力手段を含み構成されることを特徴とする請求項４記載の電子カルテシステム。
【請求項６】  患者の診療に係る診療内容を電子的に記録する電子カルテを作成する電子カルテ作成手段と、前記電子カルテ作成手段において作成された電子カルテ及びこれに入力される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段と、音声認識手段とを有し、前記制御手段は、前記音声認識手段との関連付けによって前記定義内容の検索を行うことを特徴とする電子カルテシステム。
【請求項７】  患者の診療に係る診療内容を電子的に記録する電子カルテを作成する電子カルテ作成手段と、前記電子カルテ作成手段において作成された電子カルテ及びこれに入力される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有し、前記制御手段は、検査結果に関する情報と該検査の指示日付に関する情報とを管理して、当該患者の電子カルテを呼び出す際に、前記検査結果を自動表示することを特徴とする電子カルテシステム。
【請求項８】  前記電子カルテ入力手段は、ネットワークに接続されており、前記制御手段は、外部に設けた端末からオンラインにて外注検査情報を遠隔データ取得して、これを表示することを特徴とする請求項７記載の電子カルテシステム。
【請求項９】  患者の診療に係る診療内容を電子的に記録する電子カルテを作成する電子カルテ作成手段と、前記電子カルテ作成手段において作成された電子カルテ及びこれに入力される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有し、前記制御手段は、画像診断結果に関する情報と該画像診断の指示日付に関する情報とを管理して、当該患者の電子カルテを呼び出す際に、前記画像診断結果を自動表示することを特徴とする電子カルテシステム。
【請求項１０】  患者の診療に係る診療内容を電子的に記録する電子カルテを作成する電子カルテ作成手段と、前記電子カルテ作成手段において作成された電子カルテ及びこれに入力される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有し、前記制御手段は、患者の前回診療時の電子カルテにおける病名情報項目及び診療情報項目の定義内容に関して、その内容の取捨選択を行って、今回の診療時の電子カルテにおける表示内容として展開表示することを特徴とする電子カルテシステム。
【請求項１１】  患者の診療に係る診療内容を電子的に記録する電子カルテを作成する電子カルテ作成手段と、前記電子カルテ作成手段において作成された電子カルテ及びこれに入力される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有し、前記制御手段は、前記電子カルテへの定義内容の入力を確定する為に必要な情報を統合して表示することを特徴とする電子カルテシステム。
【請求項１２】  前記電子カルテ作成手段は、患者の複数医師への受付登録を行って、且つ、前記患者の電子カルテを担当医師毎に振り分け管理する制御手段を有することを特徴とする請求項１乃至請求項１１のいずれか一項に記載の電子カルテシステム。
【手続補正２】
【補正対象書類名】明細書
【補正対象項目名】００１７
【補正方法】変更
【補正の内容】
【００１７】
上記課題を解決するために、請求項２記載の発明は、患者の診療に係る診療内容を電子的に記録する電子カルテを作成する電子カルテ作成手段と、前記電子カルテ作成手段において作成された電子カルテ及びこれに記載される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有し、前記制御手段は、さらに、診察待ち患者の情報を所定の条件に従って順番に並び替え、これを表示することを特徴とする。
【手続補正３】
【補正対象書類名】明細書
【補正対象項目名】００１８
【補正方法】変更
【補正の内容】
【００１８】
上記課題を解決するために、請求項３記載の発明は、患者の診療に係る診療内容を電子的に記録する電子カルテを作成する電子カルテ作成手段と、前記電子カルテ作成手段において作成された電子カルテ及びこれに記載される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有し、前記制御手段は、前記電子カルテに入力される定義内容を複数の分類に分類し、さらに、これら分類された内容を識別して、これを表示することを特徴とする。
【手続補正４】
【補正対象書類名】明細書
【補正対象項目名】００１９
【補正方法】変更
【補正の内容】
【００１９】
上記課題を解決するために、請求項４記載の発明は、患者の診療に係る診療内容を電子的に記録する電子カルテを作成する電子カルテ作成手段と、前記電子カルテ作成手段において作成された電子カルテ及びこれに入力される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段と、文字認識手段とを有し、前記制御手段は、前記文字認識手段との関連付けによって前記定義内容の検索を行うことを特徴とする。
【手続補正５】
【補正対象書類名】明細書
【補正対象項目名】００２１
【補正方法】変更
【補正の内容】
【００２１】
上記課題を解決するために、請求項６記載の発明は、患者の診療に係る診療内容を電子的に記録する電子カルテを作成する電子カルテ作成手段と、前記電子カルテ作成手段において作成された電子カルテ及びこれに入力される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段と、音声認識手段とを有し、前記制御手段は、前記音声認識手段との関連付けによって前記定義内容の検索を行うことを特徴とする。
【手続補正６】
【補正対象書類名】明細書
【補正対象項目名】００２２
【補正方法】変更
【補正の内容】
【００２２】
上記課題を解決するために、請求項７記載の発明は、患者の診療に係る診療内容を電子的に記録する電子カルテを作成する電子カルテ作成手段と、前記電子カルテ作成手段において作成された電子カルテ及びこれに入力される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有し、前記制御手段は、検査結果に関する情報と該検査の指示日付に関する情報とを管理して、当該患者の電子カルテを呼び出す際に、前記検査結果を自動表示することを特徴とする。
【手続補正７】
【補正対象書類名】明細書
【補正対象項目名】００２４
【補正方法】変更
【補正の内容】
【００２４】
上記課題を解決するために、請求項９記載の発明は、患者の診療に係る診療内容を電子的に記録する電子カルテを作成する電子カルテ作成手段と、前記電子カルテ作成手段において作成された電子カルテ及びこれに入力される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有し、前記制御手段は、画像診断結果に関する情報と該画像診断の指示日付に関する情報とを管理して、当該患者の電子カルテを呼び出す際に、前記画像診断結果を自動表示することを特徴とする。
【手続補正８】
【補正対象書類名】明細書
【補正対象項目名】００２５
【補正方法】変更
【補正の内容】
【００２５】
上記課題を解決するために、請求項１０記載の発明は、患者の診療に係る診療内容を電子的に記録する電子カルテを作成する電子カルテ作成手段と、前記電子カルテ作成手段において作成された電子カルテ及びこれに入力される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有し、前記制御手段は、患者の前回診療時の電子カルテにおける病名情報項目及び診療情報項目の定義内容に関して、その内容の取捨選択を行って、今回の診療時の電子カルテにおける表示内容として展開表示することを特徴とする。
【手続補正９】
【補正対象書類名】明細書
【補正対象項目名】００２６
【補正方法】変更
【補正の内容】
【００２６】
上記課題を解決するために、請求項１１記載の発明は、患者の診療に係る診療内容を電子的に記録する電子カルテを作成する電子カルテ作成手段と、前記電子カルテ作成手段において作成された電子カルテ及びこれに入力される定義内容を格納する電子カルテ格納手段と、前記電子カルテ作成手段において作成された電子カルテに定義内容の入力を行う電子カルテ入力手段とから成り、前記電子カルテ入力手段は、その表示内容として、前記電子カルテを構成する病名情報項目及び診療情報項目と、これらを検索する検索項目とを少なくとも含み構成されており、且つ、これらの何れか複数を選択して関連付けを行い、これを表示する制御手段を有し、前記制御手段は、前記電子カルテへの定義内容の入力を確定する為に必要な情報を統合して表示することを特徴とする。